(57)【要約】【課題】本発明はＴシャツ乾燥装置を開示した。【解決手段】乾燥機を含み、前記乾燥機の中には乾燥チャンバが設けられ、前記乾燥チャンバの中には脱水装置が設けられ、前記脱水装置の中間には乾燥装置が設けられ、前記脱水装置の上側には切替装置が設けられ、前記脱水装置は前記乾燥チャンバの中に回転できるように設けられた回転盤を含み、前記乾燥装置は前記回転盤の下端面の中間に回転できるように設けらた乾し柱を含み、前記回転盤によってＴシャツの水を振り出し、乾し柱によってＴシャツを吹かせて乾燥する。【選択図】図１
2020151431.tif 000002
【特許請求の範囲】
【請求項１】
乾燥機を含み、前記乾燥機の中には乾燥チャンバが設けられ、前記乾燥チャンバの中には脱水装置が設けられ、前記脱水装置の中間には乾燥装置が設けられ、前記脱水装置の上側には切替装置が設けられ、前記脱水装置は前記乾燥チャンバの中に回転できるように設けられた回転盤を含み、前記回転盤の下端には四つのハンガーが環状行列に設けられ、前記乾燥装置は前記回転盤の下端面の中間に回転できるように設けらた乾し柱を含み、前記乾し柱の中には通気パイプが設けられ、前記通気パイプの周辺には排気口が環状行列に、かつ上下均一に設けられ、前記通気パイプの上側には排気口が連通し設けられ、前記排気パイプの中には電熱線が固定的に設けられ、前記排気パイプの上側には抽気チャンバが連通し設けられ、前記抽気チャンバの中にはファンが回転できるように設けられ、前記抽気チャンバの上側には乾燥チャンバに連通された吸気パイプが設けられ、まず前記回転盤の快速回転により、前記ハンガーにかけられたＴシャツを一定程度の脱水をし、そして遅い速度で回転盤を回し、同時に前記ハンガーが自転し、熱風が通気パイプから入り、前記排気口によって均一にＴシャツに吹かれてＴシャツを乾し、空気が密封の空間内で循環的に流通し、熱量の流失を避け、前記乾燥チャンバの左側には左方に開口した開口チャンバが連通し設けられ、前記開口チャンバの上下両側にはスライドレールが連通し設けられ、前記開口チャンバの中には上下両端が前記スライドレールまで伸びている仕切板がスライドできるように設けられ、前記切替装置が本装置の各機能の切り替えをコントロールし、同時に前記仕切板のロックをコントロールする；まず速い回転によってＴシャツの水を一定程度に振り出し、それでＴシャツを均一に熱風に吹かせて乾燥することを特徴とするＴシャツ乾燥装置である。
【請求項２】
前記脱水装置は前記乾燥チャンバの上側に設けられた歯車チャンバを含み、前記回転盤の上端には前記乾燥チャンバの上壁に回転できるように係合された回転柱が固定的に設けられ、前記回転柱の上端が前記歯車チャンバの中まで伸びており、かつ前記回転柱の上端には第二リングギヤが固定的に設けられ、前記回転盤の中には伝動チャンバが設けられ、前記伝動チャンバの中には遊星歯車が環状行列に回転できるように設けられ、前記遊星歯車の下端には伝動軸が固定的に設けられ、前記伝動軸の下端が前記ハンガーに固定的に連結され、前記伝動チャンバの上側には前記回転柱を貫通し、かつ前記歯車チャンバを連通する抜き穴が連通し設けられ、前記乾燥チャンバの下側には貯水チャンバが連通し設けられ、前記貯水チャンバの中にはストレーナーが固定的に設けられる；前記回転盤の回転と前記ハンドルの自転によって回転することを特徴とする請求項１に記載のＴシャツ乾燥装置。
【請求項３】
前記乾燥装置は前記歯車チャンバの上壁に固定的に設けられた通気柱を含み、前記通気柱の下端が前記抜き穴を貫いて前記伝動チャンバの中まで伸びており、前記通気柱の下端には前記伝動チャンバの中に位置する前記遊星歯車と噛み合うことができる第一リングギヤが固定的に連結され、前記乾し柱の上端が前記第一リングギヤに固定的に連結され、かつ前記伝動チャンバの下壁に回転できるように連結され、前記通気パイプの上端が前記通気柱を貫いて、かつ前記排気パイプに連通され、前記抽気チャンバの中には動力軸が回転できるように設けられ、前記ファンが前記動力軸に固定的に設けられる；前記乾燥装置を始動する時に、同時に前記脱水装置も起動されることを特徴とする請求項１に記載のＴシャツ乾燥装置。
【請求項４】
前記切替装置は前記歯車チャンバの左側に連通し設けられた昇降チャンバ含み、前記昇降チャンバの左側にはコントロールチャンバが連通し設けられ、前記コントロールチャンバの上壁にはコントロールモーターが固定的に設けられ、前記コントロールモーターの下端にはねじボルトが動力が伝達できるように連結され、前記コントロールチャンバの中にはねじ山によって前記ねじボルトに連結された昇降ロッドがスライドできるように設けられ、前記昇降ロッドの右端が前記昇降チャンバまで伸びており、前記昇降ロッドの右端には動力モーターが固定され、前記動力モーターの下端には動力平歯車が動力が伝達できるように設けられ、前記動力モーターの上端には動力傘歯車が動力が伝達できるように設けられ、前記動力傘歯車の上側には前記動力傘歯車と噛み合うことができる伝動傘歯車が回転できるように設けられ、前記動力軸の左端が前記伝動傘歯車に固定的に連結され、前記コントロールチャンバの下側には上側の前記スライドレールに連通する引掛りブロックチャンバが設けられ、前記引掛りブロックチャンバの中には引掛りブロックがスライドできるように設けられ、前記引掛りブロックの右端と前記引掛りブロックチャンバの右壁との間には圧縮バネが固定的に連結され、前記引掛りブロックの中には上方に開口した凹溝が設けられ、前記昇降ロッドの下端には前記凹溝まで伸びられる押しブロックが固定的に設けられ、前記仕切板の右端面の上端が前記引掛りブロックチャンバに対応するところには引掛り溝が設けられる；前記コントロールモーターによって起動と機能の切り替えとをコントロールし、前記動力モーターに動力を提供することを特徴とする請求項１に記載のＴシャツ乾燥装置。
【発明の詳細な説明】
【技術分野】
【０００１】
本発明は生活用品技術分野を取り上げて、具体的にはＴシャツ乾燥装置である。
【背景技術】
【０００２】
Ｔシャツをきれいに洗った後に乾す必要があり、しかしＴシャツのほとんどが純綿の材料を使い、洗濯機で水を振り出してあるいは絞り出す時にＴシャツに皺が出られ、同時にＴシャツが変形され、非常に美観ではなく、それで、Ｔシャツ乾燥装置が必要とされ、本装置はＴシャツをかけて水を振り出し、また熱風によって乾燥し、乾燥の効率が更に速くなる。
【先行技術文献】
【特許文献】
【０００３】
【特許文献１】中国特許出願公開第１０９１８３３７０  号明細書
【発明の概要】
【発明が解決しようとする課題】
【０００４】
本発明の目的はＴシャツ乾燥装置を提供し、それは上記の現在の技術中の問題を解決できる。
【課題を解決するための手段】
【０００５】
本発明のＴシャツ乾燥装置は、乾燥機を含み、前記乾燥機の中には乾燥チャンバが設けられ、前記乾燥チャンバの中には脱水装置が設けられ、前記脱水装置の中間には乾燥装置が設けられ、前記脱水装置の上側には切替装置が設けられ、前記脱水装置は前記乾燥チャンバの中に回転できるように設けられた回転盤を含み、前記回転盤の下端には四つのハンガーが環状行列に設けられ、前記乾燥装置は前記回転盤の下端面の中間に回転できるように設けらた乾し柱を含み、前記乾し柱の中には通気パイプが設けられ、前記通気パイプの周辺には排気口が環状行列に、かつ上下均一に設けられ、前記通気パイプの上側には排気口が連通し設けられ、前記排気パイプの中には電熱線が固定的に設けられ、前記排気パイプの上側には抽気チャンバが連通し設けられ、前記抽気チャンバの中にはファンが回転できるように設けられ、前記抽気チャンバの上側には乾燥チャンバに連通された吸気パイプが設けられ、まず前記回転盤の快速回転により、前記ハンガーにかけられたＴシャツを一定程度の脱水をし、そして遅い速度で回転盤を回し、同時に前記ハンガーが自転し、熱風が通気パイプから入り、前記排気口によって均一にＴシャツに吹かれてＴシャツを乾し、空気が密封の空間内で循環的に流通し、熱量の流失を避け、前記乾燥チャンバの左側には左方に開口した開口チャンバが連通し設けられ、前記開口チャンバの上下両側にはスライドレールが連通し設けられ、前記開口チャンバの中には上下両端が前記スライドレールまで伸びている仕切板がスライドできるように設けられ、前記切替装置が本装置の各機能の切り替えをコントロールし、同時に前記仕切板のロックをコントロールする；まず速い回転によってＴシャツの水を一定程度に振り出し、それでＴシャツを均一に熱風に吹かせて乾燥する。
【０００６】
更の技術プラン、前記脱水装置は前記乾燥チャンバの上側に設けられた歯車チャンバを含み、前記回転盤の上端には前記乾燥チャンバの上壁に回転できるように係合された回転柱が固定的に設けられ、前記回転柱の上端が前記歯車チャンバの中まで伸びており、かつ前記回転柱の上端には第二リングギヤが固定的に設けられ、前記回転盤の中には伝動チャンバが設けられ、前記伝動チャンバの中には遊星歯車が環状行列に回転できるように設けられ、前記遊星歯車の下端には伝動軸が固定的に設けられ、前記伝動軸の下端が前記ハンガーに固定的に連結され、前記伝動チャンバの上側には前記回転柱を貫通し、かつ前記歯車チャンバを連通する抜き穴が連通し設けられ、前記乾燥チャンバの下側には貯水チャンバが連通し設けられ、前記貯水チャンバの中にはストレーナーが固定的に設けられる；前記回転盤の回転と前記ハンドルの自転によって回転する。
【０００７】
更の技術プラン、前記乾燥装置は前記歯車チャンバの上壁に固定的に設けられた通気柱を含み、前記通気柱の下端が前記抜き穴を貫いて前記伝動チャンバの中まで伸びており、前記通気柱の下端には前記伝動チャンバの中に位置する前記遊星歯車と噛み合うことができる第一リングギヤが固定的に連結され、前記乾し柱の上端が前記第一リングギヤに固定的に連結され、かつ前記伝動チャンバの下壁に回転できるように連結され、前記通気パイプの上端が前記通気柱を貫いて、かつ前記排気パイプに連通され、前記抽気チャンバの中には動力軸が回転できるように設けられ、前記ファンが前記動力軸に固定的に設けられる；前記乾燥装置を始動する時に、同時に前記脱水装置も起動される。
【０００８】
更の技術プラン、前記切替装置は前記歯車チャンバの左側に連通し設けられた昇降チャンバ含み、前記昇降チャンバの左側にはコントロールチャンバが連通し設けられ、前記コントロールチャンバの上壁にはコントロールモーターが固定的に設けられ、前記コントロールモーターの下端にはねじボルトが動力が伝達できるように連結され、前記コントロールチャンバの中にはねじ山によって前記ねじボルトに連結された昇降ロッドがスライドできるように設けられ、前記昇降ロッドの右端が前記昇降チャンバまで伸びており、前記昇降ロッドの右端には動力モーターが固定され、前記動力モーターの下端には動力平歯車が動力が伝達できるように設けられ、前記動力モーターの上端には動力傘歯車が動力が伝達できるように設けられ、前記動力傘歯車の上側には前記動力傘歯車と噛み合うことができる伝動傘歯車が回転できるように設けられ、前記動力軸の左端が前記伝動傘歯車に固定的に連結され、前記コントロールチャンバの下側には上側の前記スライドレールに連通する引掛りブロックチャンバが設けられ、前記引掛りブロックチャンバの中には引掛りブロックがスライドできるように設けられ、前記引掛りブロックの右端と前記引掛りブロックチャンバの右壁との間には圧縮バネが固定的に連結され、前記引掛りブロックの中には上方に開口した凹溝が設けられ、前記昇降ロッドの下端には前記凹溝まで伸びられる押しブロックが固定的に設けられ、前記仕切板の右端面の上端が前記引掛りブロックチャンバに対応するところには引掛り溝が設けられる；前記コントロールモーターによって起動と機能の切り替えとをコントロールし、前記動力モーターに動力を提供する。
【発明の効果】
【０００９】
本発明は構造が簡単で、操作が便利であり、本装置によってＴシャツを乾燥させ、まず速い回転によって水を振り出し、服に一定程度の平ら程度を持たさせ、そして遅い速度で回転することと同時に熱風によって吹き乾し、乾燥が速いことだけではなく、服に皺もつきにくくなる。
【図面の簡単な説明】
【００１０】
【図１】図１は本発明のＴシャツ乾燥装置の内部全体構成略図である。
【図２】図２は図１のＡの拡大構成略図である。
【図３】図３は図１のＢの拡大構成略図である。
【発明を実施するための形態】
【００１１】
以下、図１−３を合わせて本発明について詳しく説明し、説明の便利を図るため、下記に記載の上下左右前後方向が図１自身の投影関係の上下左右前後方向と一致することにする。
【００１２】
図１−３を参照し、本発明のＴシャツ乾燥装置は、乾燥機１１を含み、前記乾燥機１１の中には乾燥チャンバ１２が設けられ、前記乾燥チャンバ１２の中には脱水装置１０１が設けられ、前記脱水装置１０１の中間には乾燥装置１０２が設けられ、前記脱水装置１０１の上側には切替装置１０３が設けられ、前記脱水装置１０１は前記乾燥チャンバ１２の中に回転できるように設けられた回転盤１３を含み、前記回転盤１３の下端には四つのハンガー１４が環状行列に設けられ、前記乾燥装置１０２は前記回転盤１３の下端面の中間に回転できるように設けらた乾し柱５７を含み、前記乾し柱５７の中には通気パイプ１５が設けられ、前記通気パイプ１５の周辺には排気口１６が環状行列に、かつ上下均一に設けられ、前記通気パイプ１５の上側には排気口１７が連通し設けられ、前記排気パイプ１７の中には電熱線２４が固定的に設けられ、前記排気パイプ１７の上側には抽気チャンバ１８が連通し設けられ、前記抽気チャンバ１８の中にはファン１９が回転できるように設けられ、前記抽気チャンバ１８の上側には乾燥チャンバ１２に連通された吸気パイプ２０が設けられ、まず前記回転盤１３の快速回転により、前記ハンガー１４にかけられたＴシャツを一定程度の脱水をし、そして遅い速度で回転盤１３を回し、同時に前記ハンガー１４が自転し、熱風が通気パイプ１５から入り、前記排気口１６によって均一にＴシャツに吹かれてＴシャツを乾し、空気が密封の空間内で循環的に流通し、熱量の流失を避け、前記乾燥チャンバ１２の左側には左方に開口した開口チャンバ２１が連通し設けられ、前記開口チャンバ２１の上下両側にはスライドレール２２が連通し設けられ、前記開口チャンバ２１の中には上下両端が前記スライドレール２２まで伸びている仕切板２３がスライドできるように設けられ、前記切替装置１０３が本装置の各機能の切り替えをコントロールし、同時に前記仕切板２３のロックをコントロールする；まず速い回転によってＴシャツの水を一定程度に振り出し、それでＴシャツを均一に熱風に吹かせて乾燥する。
【００１３】
有益的には、前記脱水装置１０１は前記乾燥チャンバ１２の上側に設けられた歯車チャンバ２５を含み、前記回転盤１３の上端には前記乾燥チャンバ１２の上壁に回転できるように係合された回転柱２６が固定的に設けられ、前記回転柱２６の上端が前記歯車チャンバ２５の中まで伸びており、かつ前記回転柱２６の上端には第二リングギヤ２７が固定的に設けられ、前記回転盤１３の中には伝動チャンバ２９が設けられ、前記伝動チャンバ２９の中には遊星歯車３０が環状行列に回転できるように設けられ、前記遊星歯車３０の下端には伝動軸３１が固定的に設けられ、前記伝動軸３１の下端が前記ハンガー１４に固定的に連結され、前記伝動チャンバ２９の上側には前記回転柱２６を貫通し、かつ前記歯車チャンバ２５を連通する抜き穴３２が連通し設けられ、前記乾燥チャンバ１２の下側には貯水チャンバ５５が連通し設けられ、前記貯水チャンバ５５の中にはストレーナー５６が固定的に設けられる；前記回転盤１３の回転と前記ハンドル１４の自転によって回転する。
【００１４】
有益的には、前記乾燥装置１０２は前記歯車チャンバ２５の上壁に固定的に設けられた通気柱３３を含み、前記通気柱３３の下端が前記抜き穴３２を貫いて前記伝動チャンバ２９の中まで伸びており、前記通気柱３３の下端には前記伝動チャンバ２９の中に位置する前記遊星歯車３０と噛み合うことができる第一リングギヤ３４が固定的に連結され、前記乾し柱５７の上端が前記第一リングギヤ３４に固定的に連結され、かつ前記伝動チャンバ２９の下壁に回転できるように連結され、前記通気パイプ１５の上端が前記通気柱３３を貫いて、かつ前記排気パイプ１７に連通され、前記抽気チャンバ１８の中には動力軸３５が回転できるように設けられ、前記ファン１９が前記動力軸３５に固定的に設けられる；前記乾燥装置１０２を始動する時に、同時に前記脱水装置１０１も起動される。
【００１５】
有益的には、前記切替装置１０３は前記歯車チャンバ２５の左側に連通し設けられた昇降チャンバ４０含み、前記昇降チャンバ４０の左側にはコントロールチャンバ４１が連通し設けられ、前記コントロールチャンバ４１の上壁にはコントロールモーター４２が固定的に設けられ、前記コントロールモーター４２の下端にはねじボルト４３が動力が伝達できるように連結され、前記コントロールチャンバ４１の中にはねじ山によって前記ねじボルト４３に連結された昇降ロッド４４がスライドできるように設けられ、前記昇降ロッド４４の右端が前記昇降チャンバ４０まで伸びており、前記昇降ロッド４４の右端には動力モーター４５が固定され、前記動力モーター４５の下端には動力平歯車４６が動力が伝達できるように設けられ、前記動力モーター４５の上端には動力傘歯車４７が動力が伝達できるように設けられ、前記動力傘歯車４７の上側には前記動力傘歯車４７と噛み合うことができる伝動傘歯車４８が回転できるように設けられ、前記動力軸３５の左端が前記伝動傘歯車４８に固定的に連結され、前記コントロールチャンバ４１の下側には上側の前記スライドレール２２に連通する引掛りブロックチャンバ４９が設けられ、前記引掛りブロックチャンバ４９の中には引掛りブロック５０がスライドできるように設けられ、前記引掛りブロック５０の右端と前記引掛りブロックチャンバ４９の右壁との間には圧縮バネ５１が固定的に連結され、前記引掛りブロック５０の中には上方に開口した凹溝５２が設けられ、前記昇降ロッド４４の下端には前記凹溝５２まで伸びられる押しブロック５３が固定的に設けられ、前記仕切板２３の右端面の上端が前記引掛りブロックチャンバ４９に対応するところには引掛り溝５４が設けられる；前記コントロールモーター４２によって起動と機能の切り替えとをコントロールし、前記動力モーター４５に動力を提供する。
【００１６】
初期状態では、昇降ロッド４４が下極限に位置し、動力平歯車４６と第二リングギヤ２７とが噛み合わなく、動力傘歯車４７と伝動傘歯車４８とが噛み合わない。
【００１７】
Ｔシャツを乾燥する時に、仕切板２３を開け、Ｔシャツをハンガー１４にかけ、手動で回転盤１３を回して次のハンガー１４を左側に回転させ、かけることが完成した後に仕切板２３を閉じ、コントロールモーター４２が起動されてねじボルト４３を回転連動させ、ねじ山連結によって昇降ロッド４４連結を上昇連動させ、動力平歯車４６が第二リングギヤ２７と噛み合うまで昇降ロッド４４が動力平歯車４６を上昇連動させ、その時に押しボロック５３が凹溝から移出され、引掛りブロック５０が圧縮バネ５１の弾力によって左に移動して引掛り溝５４の中に入り、動力モーター４５が起動されて動力平歯車４６を回転連動させ、歯車の噛み合いにより第二リングギヤ２７を回転させ、回転柱２６によって回転盤１３を回転させて遊星歯車３０を公転させ、前記遊星歯車３０が第一リングギヤ３４との噛み合いによって自転し、伝動軸３１によってハンガー１４を公転させることと同時に自転し、Ｔシャツの水を一定程度に振り出し、回転盤１３の回転を止め、コントロールモーター４２がまた起動されて昇降ロッド４４を上極限位置まで上昇連動させて、その時に動力傘歯車４７と伝動傘歯車４８とが噛み合い、動力平歯車４６と第二リングギヤ２７とがまた噛み合い、動力モーター４５が起動され、またハンガー１４によってＴシャツを遅い速度で回転連動させ、それと同時に、動力傘歯車４７が回転し歯車の噛み合いにより伝動傘歯車４８を回転連動させ、動力軸３５によってファン１９を回転させ、電熱線２４を加熱し、吸気パイプ２０によって空気を乾燥チャンバ１２の中から吸入され、電熱線２４によって加熱し、排気口１６によって吹き出され、Ｔシャツを均一に乾す。
【００１８】
本発明の有益的効果は：本発明は構造が簡単で、操作が便利であり、本装置によってＴシャツを乾燥させ、まず速い回転によって水を振り出し、服に一定程度の平ら程度を持たさせ、そして遅い速度で回転することと同時に熱風によって吹き乾し、乾燥が速いことだけではなく、服に皺もつきにくくなる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020151431.tif 000003
【図２】
2020151431.tif 000004
【図３】
2020151431.tif 000005
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
乾燥機を含み、前記乾燥機の中には乾燥チャンバが設けられ、前記乾燥チャンバの中には脱水装置が設けられ、前記脱水装置の中間には乾燥装置が設けられ、前記脱水装置の上側には切替装置が設けられ、前記脱水装置は前記乾燥チャンバの中に回転できるように設けられた回転盤を含み、前記回転盤の下端には四つのハンガーが環状に列ぶように設けられ、前記乾燥装置は前記回転盤の下端面の中間に回転できるように設けらた乾し柱を含み、前記乾し柱の中には通気パイプが設けられ、前記通気パイプの周辺には排気口が環状に列ぶように、かつ上下均一に設けられ、前記通気パイプの上側には排気パイプが連通し設けられ、前記排気パイプの中には電熱線が固定的に設けられ、前記排気パイプの上側には抽気チャンバが連通し設けられ、前記抽気チャンバの中にはファンが回転できるように設けられ、前記抽気チャンバの上側には乾燥チャンバに連通された吸気パイプが設けられ、まず前記回転盤の高速回転により、前記ハンガーにかけられたＴシャツを一定程度の脱水をし、そして回転盤を回し、同時に前記ハンガーが自転し、熱風が通気パイプから入り、前記排気口によって均一にＴシャツに吹かれてＴシャツを乾し、空気が密封の空間内で循環的に流通し、熱量の流失を避け、前記乾燥チャンバの左側には左方に開口した開口チャンバが連通し設けられ、前記開口チャンバの上下両側にはスライドレールが連通し設けられ、前記開口チャンバの中には上下両端が前記スライドレールまで伸びている仕切板がスライドできるように設けられており、
まず速い回転によってＴシャツの水を一定程度に振り出し、それでＴシャツを均一に熱風に吹かせて乾燥を行い、
前記脱水装置は前記乾燥チャンバの上側に設けられた歯車チャンバを含み、前記回転盤の上端には前記乾燥チャンバの上壁に回転できるように係合された回転柱が固定的に設けられ、前記回転柱の上端が前記歯車チャンバの中まで伸びており、かつ前記回転柱の上端には第二リングギヤが固定的に設けられ、前記回転盤の中には伝動チャンバが設けられ、前記伝動チャンバの中には遊星歯車が環状に列ぶように回転できるように設けられ、前記遊星歯車の下端には伝動軸が固定的に設けられ、前記伝動軸の下端が前記ハンガーに固定的に連結され、前記伝動チャンバの上側には前記回転柱を貫通し、かつ前記歯車チャンバを連通する抜き穴が連通し設けられ、前記乾燥チャンバの下側には貯水チャンバが連通し設けられ、前記貯水チャンバの中にはストレーナーが固定的に設けられており、
前記回転盤の回転と前記ハンドルの自転によって回転し、
前記乾燥装置は前記歯車チャンバの上壁に固定的に設けられた通気柱を含み、前記通気柱の下端が前記抜き穴を貫いて前記伝動チャンバの中まで伸びており、前記通気柱の下端には前記伝動チャンバの中に位置する前記遊星歯車と噛み合うことができる第一リングギヤが固定的に連結され、前記乾し柱の上端が前記第一リングギヤに固定的に連結され、かつ前記伝動チャンバの下壁に回転できるように連結され、前記通気パイプの上端が前記通気柱を貫いて、かつ前記排気パイプに連通され、前記抽気チャンバの中には動力軸が回転できるように設けられ、前記ファンが前記動力軸に固定的に設けられており、
前記乾燥装置を始動する時に、同時に前記脱水装置も起動され、
前記切替装置は前記歯車チャンバの左側に連通し設けられた昇降チャンバ含み、前記昇降チャンバの左側にはコントロールチャンバが連通し設けられ、前記コントロールチャンバの上壁にはコントロールモーターが固定的に設けられ、前記コントロールモーターの下端にはねじボルトが動力が伝達できるように連結され、前記コントロールチャンバの中にはねじ山によって前記ねじボルトに連結された昇降ロッドがスライドできるように設けられ、前記昇降ロッドの右端が前記昇降チャンバまで伸びており、前記昇降ロッドの右端には動力モーターが固定され、前記動力モーターの下端には動力平歯車が動力が伝達できるように設けられ、前記動力モーターの上端には動力傘歯車が動力が伝達できるように設けられ、前記動力傘歯車の上側には前記動力傘歯車と噛み合うことができる伝動傘歯車が回転できるように設けられ、前記動力軸の左端が前記伝動傘歯車に固定的に連結され、前記コントロールチャンバの下側には上側の前記スライドレールに連通する引掛りブロックチャンバが設けられ、前記引掛りブロックチャンバの中には引掛りブロックがスライドできるように設けられ、前記引掛りブロックの右端と前記引掛りブロックチャンバの右壁との間には圧縮バネが固定的に連結され、前記引掛りブロックの中には上方に開口した凹溝が設けられ、前記昇降ロッドの下端には前記凹溝まで伸びられる押しブロックが固定的に設けられ、前記仕切板の右端面の上端が前記引掛りブロックチャンバに対応するところには引掛り溝が設けられており、
前記コントロールモーターによって起動と機能の切り替えとをコントロールし、前記動力モーターに動力を提供することを特徴とするＴシャツ乾燥装置。
【手続補正２】
【補正対象書類名】明細書
【補正対象項目名】全文
【補正方法】変更
【補正の内容】
【発明の詳細な説明】
【技術分野】
【０００１】
本発明は生活用品技術分野を取り上げて、具体的にはＴシャツ乾燥装置である。
【背景技術】
【０００２】
Ｔシャツをきれいに洗った後に乾す必要があり、しかしＴシャツのほとんどが純綿の材料を使い、洗濯機で水を振り出してあるいは絞り出す時にＴシャツに皺が出られ、同時にＴシャツが変形され、非常に美観ではなく、それで、Ｔシャツ乾燥装置が必要とされ、本装置はＴシャツをかけて水を振り出し、また熱風によって乾燥し、乾燥の効率が更に速くなる。
【先行技術文献】
【特許文献】
【０００３】
【特許文献１】中国特許出願公開第１０９１８３３７０  号明細書
【発明の概要】
【発明が解決しようとする課題】
【０００４】
本発明の目的はＴシャツ乾燥装置を提供し、それは上記の現在の技術中の問題を解決できる。
【課題を解決するための手段】
【０００５】
本発明のＴシャツ乾燥装置は、乾燥機を含み、前記乾燥機の中には乾燥チャンバが設けられ、前記乾燥チャンバの中には脱水装置が設けられ、前記脱水装置の中間には乾燥装置が設けられ、前記脱水装置の上側には切替装置が設けられ、前記脱水装置は前記乾燥チャンバの中に回転できるように設けられた回転盤を含み、前記回転盤の下端には四つのハンガーが環状に列ぶように設けられ、前記乾燥装置は前記回転盤の下端面の中間に回転できるように設けらた乾し柱を含み、前記乾し柱の中には通気パイプが設けられ、前記通気パイプの周辺には排気口が環状に列ぶように、かつ上下均一に設けられ、前記通気パイプの上側には排気パイプが連通し設けられ、前記排気パイプの中には電熱線が固定的に設けられ、前記排気パイプの上側には抽気チャンバが連通し設けられ、前記抽気チャンバの中にはファンが回転できるように設けられ、前記抽気チャンバの上側には乾燥チャンバに連通された吸気パイプが設けられ、まず前記回転盤の高速回転により、前記ハンガーにかけられたＴシャツを一定程度の脱水をし、そして回転盤を回し、同時に前記ハンガーが自転し、熱風が通気パイプから入り、前記排気口によって均一にＴシャツに吹かれてＴシャツを乾し、空気が密封の空間内で循環的に流通し、熱量の流失を避け、前記乾燥チャンバの左側には左方に開口した開口チャンバが連通し設けられ、前記開口チャンバの上下両側にはスライドレールが連通し設けられ、前記開口チャンバの中には上下両端が前記スライドレールまで伸びている仕切板がスライドできるように設けられ、
まず速い回転によってＴシャツの水を一定程度に振り出し、それでＴシャツを均一に熱風に吹かせて乾燥する。
【０００６】
更の技術プラン、前記脱水装置は前記乾燥チャンバの上側に設けられた歯車チャンバを含み、前記回転盤の上端には前記乾燥チャンバの上壁に回転できるように係合された回転柱が固定的に設けられ、前記回転柱の上端が前記歯車チャンバの中まで伸びており、かつ前記回転柱の上端には第二リングギヤが固定的に設けられ、前記回転盤の中には伝動チャンバが設けられ、前記伝動チャンバの中には遊星歯車が環状に列ぶように回転できるように設けられ、前記遊星歯車の下端には伝動軸が固定的に設けられ、前記伝動軸の下端が前記ハンガーに固定的に連結され、前記伝動チャンバの上側には前記回転柱を貫通し、かつ前記歯車チャンバを連通する抜き穴が連通し設けられ、前記乾燥チャンバの下側には貯水チャンバが連通し設けられ、前記貯水チャンバの中にはストレーナーが固定的に設けられており、
前記回転盤の回転と前記ハンドルの自転によって回転する。
【０００７】
更の技術プラン、前記乾燥装置は前記歯車チャンバの上壁に固定的に設けられた通気柱を含み、前記通気柱の下端が前記抜き穴を貫いて前記伝動チャンバの中まで伸びており、前記通気柱の下端には前記伝動チャンバの中に位置する前記遊星歯車と噛み合うことができる第一リングギヤが固定的に連結され、前記乾し柱の上端が前記第一リングギヤに固定的に連結され、かつ前記伝動チャンバの下壁に回転できるように連結され、前記通気パイプの上端が前記通気柱を貫いて、かつ前記排気パイプに連通され、前記抽気チャンバの中には動力軸が回転できるように設けられ、前記ファンが前記動力軸に固定的に設けられており、
前記乾燥装置を始動する時に、同時に前記脱水装置も起動される。
【０００８】
更の技術プラン、前記切替装置は前記歯車チャンバの左側に連通し設けられた昇降チャンバ含み、前記昇降チャンバの左側にはコントロールチャンバが連通し設けられ、前記コントロールチャンバの上壁にはコントロールモーターが固定的に設けられ、前記コントロールモーターの下端にはねじボルトが動力が伝達できるように連結され、前記コントロールチャンバの中にはねじ山によって前記ねじボルトに連結された昇降ロッドがスライドできるように設けられ、前記昇降ロッドの右端が前記昇降チャンバまで伸びており、前記昇降ロッドの右端には動力モーターが固定され、前記動力モーターの下端には動力平歯車が動力が伝達できるように設けられ、前記動力モーターの上端には動力傘歯車が動力が伝達できるように設けられ、前記動力傘歯車の上側には前記動力傘歯車と噛み合うことができる伝動傘歯車が回転できるように設けられ、前記動力軸の左端が前記伝動傘歯車に固定的に連結され、前記コントロールチャンバの下側には上側の前記スライドレールに連通する引掛りブロックチャンバが設けられ、前記引掛りブロックチャンバの中には引掛りブロックがスライドできるように設けられ、前記引掛りブロックの右端と前記引掛りブロックチャンバの右壁との間には圧縮バネが固定的に連結され、前記引掛りブロックの中には上方に開口した凹溝が設けられ、前記昇降ロッドの下端には前記凹溝まで伸びられる押しブロックが固定的に設けられ、前記仕切板の右端面の上端が前記引掛りブロックチャンバに対応するところには引掛り溝が設けられており、
前記コントロールモーターによって起動と機能の切り替えとをコントロールし、前記動力モーターに動力を提供する。
【発明の効果】
【０００９】
本発明は構造が簡単で、操作が便利であり、本装置によってＴシャツを乾燥させ、まず速い回転によって水を振り出し、服に一定程度の平ら程度を持たさせ、そして遅い速度で回転することと同時に熱風によって吹き乾し、乾燥が速いことだけではなく、服に皺もつきにくくなる。
【図面の簡単な説明】
【００１０】
【図１】図１は本発明のＴシャツ乾燥装置の内部全体構成略図である。
【図２】図２は図１のＡの拡大構成略図である。
【図３】図３は図１のＢの拡大構成略図である。
【発明を実施するための形態】
【００１１】
以下、図１−３を合わせて本発明について詳しく説明し、説明の便利を図るため、下記に記載の上下左右前後方向が図１自身の投影関係の上下左右前後方向と一致することにする。
【００１２】
図１−３を参照し、本発明のＴシャツ乾燥装置は、乾燥機１１を含み、前記乾燥機１１の中には乾燥チャンバ１２が設けられ、前記乾燥チャンバ１２の中には脱水装置１０１が設けられ、前記脱水装置１０１の中間には乾燥装置１０２が設けられ、前記脱水装置１０１の上側には切替装置１０３が設けられ、前記脱水装置１０１は前記乾燥チャンバ１２の中に回転できるように設けられた回転盤１３を含み、前記回転盤１３の下端には四つのハンガー１４が環状に列ぶように設けられ、前記乾燥装置１０２は前記回転盤１３の下端面の中間に回転できるように設けらた乾し柱５７を含み、前記乾し柱５７の中には通気パイプ１５が設けられ、前記通気パイプ１５の周辺には排気口１６が環状に列ぶように、かつ上下均一に設けられ、前記通気パイプ１５の上側には排気パイプ１７が連通し設けられ、前記排気パイプ１７の中には電熱線２４が固定的に設けられ、前記排気パイプ１７の上側には抽気チャンバ１８が連通し設けられ、前記抽気チャンバ１８の中にはファン１９が回転できるように設けられ、前記抽気チャンバ１８の上側には乾燥チャンバ１２に連通された吸気パイプ２０が設けられ、まず前記回転盤１３の高速回転により、前記ハンガー１４にかけられたＴシャツを一定程度の脱水をし、そして回転盤１３を回し、同時に前記ハンガー１４が自転し、熱風が通気パイプ１５から入り、前記排気口１６によって均一にＴシャツに吹かれてＴシャツを乾し、空気が密封の空間内で循環的に流通し、熱量の流失を避け、前記乾燥チャンバ１２の左側には左方に開口した開口チャンバ２１が連通し設けられ、前記開口チャンバ２１の上下両側にはスライドレール２２が連通し設けられ、前記開口チャンバ２１の中には上下両端が前記スライドレール２２まで伸びている仕切板２３がスライドできるように設けられ、
まず速い回転によってＴシャツの水を一定程度に振り出し、それでＴシャツを均一に熱風に吹かせて乾燥する。
【００１３】
有益的には、前記脱水装置１０１は前記乾燥チャンバ１２の上側に設けられた歯車チャンバ２５を含み、前記回転盤１３の上端には前記乾燥チャンバ１２の上壁に回転できるように係合された回転柱２６が固定的に設けられ、前記回転柱２６の上端が前記歯車チャンバ２５の中まで伸びており、かつ前記回転柱２６の上端には第二リングギヤ２７が固定的に設けられ、前記回転盤１３の中には伝動チャンバ２９が設けられ、前記伝動チャンバ２９の中には遊星歯車３０が環状に列ぶように回転できるように設けられ、前記遊星歯車３０の下端には伝動軸３１が固定的に設けられ、前記伝動軸３１の下端が前記ハンガー１４に固定的に連結され、前記伝動チャンバ２９の上側には前記回転柱２６を貫通し、かつ前記歯車チャンバ２５を連通する抜き穴３２が連通し設けられ、前記乾燥チャンバ１２の下側には貯水チャンバ５５が連通し設けられ、前記貯水チャンバ５５の中にはストレーナー５６が固定的に設けられており、
ており、
前記回転盤１３の回転と前記ハンドル１４の自転によって回転する。
【００１４】
有益的には、前記乾燥装置１０２は前記歯車チャンバ２５の上壁に固定的に設けられた通気柱３３を含み、前記通気柱３３の下端が前記抜き穴３２を貫いて前記伝動チャンバ２９の中まで伸びており、前記通気柱３３の下端には前記伝動チャンバ２９の中に位置する前記遊星歯車３０と噛み合うことができる第一リングギヤ３４が固定的に連結され、前記乾し柱５７の上端が前記第一リングギヤ３４に固定的に連結され、かつ前記伝動チャンバ２９の下壁に回転できるように連結され、前記通気パイプ１５の上端が前記通気柱３３を貫いて、かつ前記排気パイプ１７に連通され、前記抽気チャンバ１８の中には動力軸３５が回転できるように設けられ、前記ファン１９が前記動力軸３５に固定的に設けられており、
前記乾燥装置１０２を始動する時に、同時に前記脱水装置１０１も起動される。
【００１５】
有益的には、前記切替装置１０３は前記歯車チャンバ２５の左側に連通し設けられた昇降チャンバ４０含み、前記昇降チャンバ４０の左側にはコントロールチャンバ４１が連通し設けられ、前記コントロールチャンバ４１の上壁にはコントロールモーター４２が固定的に設けられ、前記コントロールモーター４２の下端にはねじボルト４３が動力が伝達できるように連結され、前記コントロールチャンバ４１の中にはねじ山によって前記ねじボルト４３に連結された昇降ロッド４４がスライドできるように設けられ、前記昇降ロッド４４の右端が前記昇降チャンバ４０まで伸びており、前記昇降ロッド４４の右端には動力モーター４５が固定され、前記動力モーター４５の下端には動力平歯車４６が動力が伝達できるように設けられ、前記動力モーター４５の上端には動力傘歯車４７が動力が伝達できるように設けられ、前記動力傘歯車４７の上側には前記動力傘歯車４７と噛み合うことができる伝動傘歯車４８が回転できるように設けられ、前記動力軸３５の左端が前記伝動傘歯車４８に固定的に連結され、前記コントロールチャンバ４１の下側には上側の前記スライドレール２２に連通する引掛りブロックチャンバ４９が設けられ、前記引掛りブロックチャンバ４９の中には引掛りブロック５０がスライドできるように設けられ、前記引掛りブロック５０の右端と前記引掛りブロックチャンバ４９の右壁との間には圧縮バネ５１が固定的に連結され、前記引掛りブロック５０の中には上方に開口した凹溝５２が設けられ、前記昇降ロッド４４の下端には前記凹溝５２まで伸びられる押しブロック５３が固定的に設けられ、前記仕切板２３の右端面の上端が前記引掛りブロックチャンバ４９に対応するところには引掛り溝５４が設けられており、
前記コントロールモーター４２によって起動と機能の切り替えとをコントロールし、前記動力モーター４５に動力を提供する。
【００１６】
初期状態では、昇降ロッド４４が下極限に位置し、動力平歯車４６と第二リングギヤ２７
とが噛み合わなく、動力傘歯車４７と伝動傘歯車４８とが噛み合わない。
【００１７】
Ｔシャツを乾燥する時に、仕切板２３を開け、Ｔシャツをハンガー１４にかけ、手動で回転盤１３を回して次のハンガー１４を左側に回転させ、かけることが完成した後に仕切板２３を閉じ、コントロールモーター４２が起動されてねじボルト４３を回転連動させ、ねじ山連結によって昇降ロッド４４連結を上昇連動させ、動力平歯車４６が第二リングギヤ２７と噛み合うまで昇降ロッド４４が動力平歯車４６を上昇連動させ、その時に押しボロック５３が凹溝から移出され、引掛りブロック５０が圧縮バネ５１の弾力によって左に移動して引掛り溝５４の中に入り、動力モーター４５が起動されて動力平歯車４６を回転連動させ、歯車の噛み合いにより第二リングギヤ２７を回転させ、回転柱２６によって回転盤１３を回転させて遊星歯車３０を公転させ、前記遊星歯車３０が第一リングギヤ３４との噛み合いによって自転し、伝動軸３１によってハンガー１４を公転させることと同時に自転し、Ｔシャツの水を一定程度に振り出し、回転盤１３の回転を止め、コントロールモーター４２がまた起動されて昇降ロッド４４を上極限位置まで上昇連動させて、その時に動力傘歯車４７と伝動傘歯車４８とが噛み合い、動力平歯車４６と第二リングギヤ２７とがまた噛み合い、動力モーター４５が起動され、またハンガー１４によってＴシャツを遅い速度で回転連動させ、それと同時に、動力傘歯車４７が回転し歯車の噛み合いにより伝動傘歯車４８を回転連動させ、動力軸３５によってファン１９を回転させ、電熱線２４を加熱し、吸気パイプ２０によって空気を乾燥チャンバ１２の中から吸入され、電熱線２４によって加熱し、排気口１６によって吹き出され、Ｔシャツを均一に乾す。
【００１８】
本発明の有益的効果は：本発明は構造が簡単で、操作が便利であり、本装置によってＴシャツを乾燥させ、まず速い回転によって水を振り出し、服に一定程度の平ら程度を持たさせ、そして遅い速度で回転することと同時に熱風によって吹き乾し、乾燥が速いことだけではなく、服に皺もつきにくくなる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和1年8月11日(2019.8.11)
【手続補正１】
【補正対象書類名】特許請求の範囲
【補正対象項目名】全文
【補正方法】変更
【補正の内容】
【特許請求の範囲】
【請求項１】
乾燥機を含み、前記乾燥機の中には乾燥チャンバが設けられ、前記乾燥チャンバの中には脱水装置が設けられ、前記脱水装置の中間には乾燥装置が設けられ、前記脱水装置の上側には切替装置が設けられ、前記脱水装置は前記乾燥チャンバの中に回転できるように設けられた回転盤を含み、前記回転盤の下端には四つのハンガーが環状に列ぶように設けられ、前記乾燥装置は前記回転盤の下端面の中間に回転できるように設けらた乾し柱を含み、前記乾し柱の中には通気パイプが設けられ、前記通気パイプの周辺には排気口が環状に列ぶように、かつ上下均一に設けられ、前記通気パイプの上側には排気パイプが連通し設けられ、前記排気パイプの中には電熱線が固定的に設けられ、前記排気パイプの上側には抽気チャンバが連通し設けられ、前記抽気チャンバの中にはファンが回転できるように設けられ、前記抽気チャンバの上側には乾燥チャンバに連通された吸気パイプが設けられ、まず前記回転盤の高速回転により、前記ハンガーにかけられたＴシャツを一定程度の脱水をし、そして回転盤を遅い速度で回し、同時に前記ハンガーが自転し、熱風が通気パイプから入り、前記排気口によって均一にＴシャツに吹かれてＴシャツを乾し、空気が密封の空間内で循環的に流通し、熱量の流失を避け、前記乾燥チャンバの左側には左方に開口した開口チャンバが連通し設けられ、前記開口チャンバの上下両側にはスライドレールが連通し設けられ、前記開口チャンバの中には上下両端が前記スライドレールまで伸びている仕切板がスライドできるように設けられており、
まず速い回転によってＴシャツの水を一定程度に振り出し、それでＴシャツを均一に熱風に吹かせて乾燥を行い、
前記脱水装置は前記乾燥チャンバの上側に設けられた歯車チャンバを含み、前記回転盤の上端には前記乾燥チャンバの上壁に回転できるように係合された回転柱が固定的に設けられ、前記回転柱の上端が前記歯車チャンバの中まで伸びており、かつ前記回転柱の上端には第二リングギヤが固定的に設けられ、前記回転盤の中には伝動チャンバが設けられ、前記伝動チャンバの中には遊星歯車が環状に列ぶように回転できるように設けられ、前記遊星歯車の下端には伝動軸が固定的に設けられ、前記伝動軸の下端が前記ハンガーに固定的に連結され、前記伝動チャンバの上側には前記回転柱を貫通し、かつ前記歯車チャンバを連通する抜き穴が連通し設けられ、前記乾燥チャンバの下側には貯水チャンバが連通し設けられ、前記貯水チャンバの中にはストレーナーが固定的に設けられており、
前記回転盤の回転と前記ハンドルの自転によって回転し、
前記乾燥装置は前記歯車チャンバの上壁に固定的に設けられた通気柱を含み、前記通気柱の下端が前記抜き穴を貫いて前記伝動チャンバの中まで伸びており、前記通気柱の下端には前記伝動チャンバの中に位置する前記遊星歯車と噛み合うことができる第一リングギヤが固定的に連結され、前記乾し柱の上端が前記第一リングギヤに固定的に連結され、かつ前記伝動チャンバの下壁に回転できるように連結され、前記通気パイプの上端が前記通気柱を貫いて、かつ前記排気パイプに連通され、前記抽気チャンバの中には動力軸が回転できるように設けられ、前記ファンが前記動力軸に固定的に設けられており、
前記乾燥装置を始動する時に、同時に前記脱水装置も起動され、
前記切替装置は前記歯車チャンバの左側に連通し設けられた昇降チャンバ含み、前記昇降チャンバの左側にはコントロールチャンバが連通し設けられ、前記コントロールチャンバの上壁にはコントロールモーターが固定的に設けられ、前記コントロールモーターの下端にはねじボルトが動力が伝達できるように連結され、前記コントロールチャンバの中にはねじ山によって前記ねじボルトに連結された昇降ロッドがスライドできるように設けられ、前記昇降ロッドの右端が前記昇降チャンバまで伸びており、前記昇降ロッドの右端には動力モーターが固定され、前記動力モーターの下端には動力平歯車が動力が伝達できるように設けられ、前記動力モーターの上端には動力傘歯車が動力が伝達できるように設けられ、前記動力傘歯車の上側には前記動力傘歯車と噛み合うことができる伝動傘歯車が回転できるように設けられ、前記動力軸の左端が前記伝動傘歯車に固定的に連結され、前記コントロールチャンバの下側には上側の前記スライドレールに連通する引掛りブロックチャンバが設けられ、前記引掛りブロックチャンバの中には引掛りブロックがスライドできるように設けられ、前記引掛りブロックの右端と前記引掛りブロックチャンバの右壁との間には圧縮バネが固定的に連結され、前記引掛りブロックの中には上方に開口した凹溝が設けられ、前記昇降ロッドの下端には前記凹溝まで伸びられる押しブロックが固定的に設けられ、前記仕切板の右端面の上端が前記引掛りブロックチャンバに対応するところには引掛り溝が設けられており、
前記コントロールモーターによって起動と機能の切り替えとをコントロールし、前記動力モーターに動力を提供することを特徴とするＴシャツ乾燥装置。
【手続補正２】
【補正対象書類名】明細書
【補正対象項目名】全文
【補正方法】変更
【補正の内容】
【発明の詳細な説明】
【技術分野】
【０００１】
本発明は生活用品技術分野を取り上げて、具体的にはＴシャツ乾燥装置である。
【背景技術】
【０００２】
Ｔシャツをきれいに洗った後に乾す必要があり、しかしＴシャツのほとんどが純綿の材料を使い、洗濯機で水を振り出してあるいは絞り出す時にＴシャツに皺が出られ、同時にＴシャツが変形され、非常に美観ではなく、それで、Ｔシャツ乾燥装置が必要とされ、本装置はＴシャツをかけて水を振り出し、また熱風によって乾燥し、乾燥の効率が更に速くなる。
【先行技術文献】
【特許文献】
【０００３】
【特許文献１】中国特許出願公開第１０９１８３３７０  号明細書
【発明の概要】
【発明が解決しようとする課題】
【０００４】
本発明の目的はＴシャツ乾燥装置を提供し、それは上記の現在の技術中の問題を解決できる。
【課題を解決するための手段】
【０００５】
本発明のＴシャツ乾燥装置は、乾燥機を含み、前記乾燥機の中には乾燥チャンバが設けられ、前記乾燥チャンバの中には脱水装置が設けられ、前記脱水装置の中間には乾燥装置が設けられ、前記脱水装置の上側には切替装置が設けられ、前記脱水装置は前記乾燥チャンバの中に回転できるように設けられた回転盤を含み、前記回転盤の下端には四つのハンガーが環状に列ぶように設けられ、前記乾燥装置は前記回転盤の下端面の中間に回転できるように設けらた乾し柱を含み、前記乾し柱の中には通気パイプが設けられ、前記通気パイプの周辺には排気口が環状に列ぶように、かつ上下均一に設けられ、前記通気パイプの上側には排気パイプが連通し設けられ、前記排気パイプの中には電熱線が固定的に設けられ、前記排気パイプの上側には抽気チャンバが連通し設けられ、前記抽気チャンバの中にはファンが回転できるように設けられ、前記抽気チャンバの上側には乾燥チャンバに連通された吸気パイプが設けられ、まず前記回転盤の高速回転により、前記ハンガーにかけられたＴシャツを一定程度の脱水をし、そして回転盤を遅い速度で回し、同時に前記ハンガーが自転し、熱風が通気パイプから入り、前記排気口によって均一にＴシャツに吹かれてＴシャツを乾し、空気が密封の空間内で循環的に流通し、熱量の流失を避け、前記乾燥チャンバの左側には左方に開口した開口チャンバが連通し設けられ、前記開口チャンバの上下両側にはスライドレールが連通し設けられ、前記開口チャンバの中には上下両端が前記スライドレールまで伸びている仕切板がスライドできるように設けられ、
まず速い回転によってＴシャツの水を一定程度に振り出し、それでＴシャツを均一に熱風に吹かせて乾燥する。
【０００６】
更の技術プラン、前記脱水装置は前記乾燥チャンバの上側に設けられた歯車チャンバを含み、前記回転盤の上端には前記乾燥チャンバの上壁に回転できるように係合された回転柱が固定的に設けられ、前記回転柱の上端が前記歯車チャンバの中まで伸びており、かつ前記回転柱の上端には第二リングギヤが固定的に設けられ、前記回転盤の中には伝動チャンバが設けられ、前記伝動チャンバの中には遊星歯車が環状に列ぶように回転できるように設けられ、前記遊星歯車の下端には伝動軸が固定的に設けられ、前記伝動軸の下端が前記ハンガーに固定的に連結され、前記伝動チャンバの上側には前記回転柱を貫通し、かつ前記歯車チャンバを連通する抜き穴が連通し設けられ、前記乾燥チャンバの下側には貯水チャンバが連通し設けられ、前記貯水チャンバの中にはストレーナーが固定的に設けられており、
前記回転盤の回転と前記ハンドルの自転によって回転する。
【０００７】
更の技術プラン、前記乾燥装置は前記歯車チャンバの上壁に固定的に設けられた通気柱を含み、前記通気柱の下端が前記抜き穴を貫いて前記伝動チャンバの中まで伸びており、前記通気柱の下端には前記伝動チャンバの中に位置する前記遊星歯車と噛み合うことができる第一リングギヤが固定的に連結され、前記乾し柱の上端が前記第一リングギヤに固定的に連結され、かつ前記伝動チャンバの下壁に回転できるように連結され、前記通気パイプの上端が前記通気柱を貫いて、かつ前記排気パイプに連通され、前記抽気チャンバの中には動力軸が回転できるように設けられ、前記ファンが前記動力軸に固定的に設けられており、
前記乾燥装置を始動する時に、同時に前記脱水装置も起動される。
【０００８】
更の技術プラン、前記切替装置は前記歯車チャンバの左側に連通し設けられた昇降チャンバ含み、前記昇降チャンバの左側にはコントロールチャンバが連通し設けられ、前記コントロールチャンバの上壁にはコントロールモーターが固定的に設けられ、前記コントロールモーターの下端にはねじボルトが動力が伝達できるように連結され、前記コントロールチャンバの中にはねじ山によって前記ねじボルトに連結された昇降ロッドがスライドできるように設けられ、前記昇降ロッドの右端が前記昇降チャンバまで伸びており、前記昇降ロッドの右端には動力モーターが固定され、前記動力モーターの下端には動力平歯車が動力が伝達できるように設けられ、前記動力モーターの上端には動力傘歯車が動力が伝達できるように設けられ、前記動力傘歯車の上側には前記動力傘歯車と噛み合うことができる伝動傘歯車が回転できるように設けられ、前記動力軸の左端が前記伝動傘歯車に固定的に連結され、前記コントロールチャンバの下側には上側の前記スライドレールに連通する引掛りブロックチャンバが設けられ、前記引掛りブロックチャンバの中には引掛りブロックがスライドできるように設けられ、前記引掛りブロックの右端と前記引掛りブロックチャンバの右壁との間には圧縮バネが固定的に連結され、前記引掛りブロックの中には上方に開口した凹溝が設けられ、前記昇降ロッドの下端には前記凹溝まで伸びられる押しブロックが固定的に設けられ、前記仕切板の右端面の上端が前記引掛りブロックチャンバに対応するところには引掛り溝が設けられており、
前記コントロールモーターによって起動と機能の切り替えとをコントロールし、前記動力モーターに動力を提供する。
【発明の効果】
【０００９】
本発明は構造が簡単で、操作が便利であり、本装置によってＴシャツを乾燥させ、まず速い回転によって水を振り出し、服に一定程度の平ら程度を持たさせ、そして遅い速度で回転することと同時に熱風によって吹き乾し、乾燥が速いことだけではなく、服に皺もつきにくくなる。
【図面の簡単な説明】
【００１０】
【図１】図１は本発明のＴシャツ乾燥装置の内部全体構成略図である。
【図２】図２は図１のＡの拡大構成略図である。
【図３】図３は図１のＢの拡大構成略図である。
【発明を実施するための形態】
【００１１】
以下、図１−３を合わせて本発明について詳しく説明し、説明の便利を図るため、下記に記載の上下左右前後方向が図１自身の投影関係の上下左右前後方向と一致することにする。
【００１２】
図１−３を参照し、本発明のＴシャツ乾燥装置は、乾燥機１１を含み、前記乾燥機１１の中には乾燥チャンバ１２が設けられ、前記乾燥チャンバ１２の中には脱水装置１０１が設けられ、前記脱水装置１０１の中間には乾燥装置１０２が設けられ、前記脱水装置１０１の上側には切替装置１０３が設けられ、前記脱水装置１０１は前記乾燥チャンバ１２の中に回転できるように設けられた回転盤１３を含み、前記回転盤１３の下端には四つのハンガー１４が環状に列ぶように設けられ、前記乾燥装置１０２は前記回転盤１３の下端面の中間に回転できるように設けらた乾し柱５７を含み、前記乾し柱５７の中には通気パイプ１５が設けられ、前記通気パイプ１５の周辺には排気口１６が環状に列ぶように、かつ上下均一に設けられ、前記通気パイプ１５の上側には排気パイプ１７が連通し設けられ、前記排気パイプ１７の中には電熱線２４が固定的に設けられ、前記排気パイプ１７の上側には抽気チャンバ１８が連通し設けられ、前記抽気チャンバ１８の中にはファン１９が回転できるように設けられ、前記抽気チャンバ１８の上側には乾燥チャンバ１２に連通された吸気パイプ２０が設けられ、まず前記回転盤１３の高速回転により、前記ハンガー１４にかけられたＴシャツを一定程度の脱水をし、そして回転盤１３を遅い速度で回し、同時に前記ハンガー１４が自転し、熱風が通気パイプ１５から入り、前記排気口１６によって均一にＴシャツに吹かれてＴシャツを乾し、空気が密封の空間内で循環的に流通し、熱量の流失を避け、前記乾燥チャンバ１２の左側には左方に開口した開口チャンバ２１が連通し設けられ、前記開口チャンバ２１の上下両側にはスライドレール２２が連通し設けられ、前記開口チャンバ２１の中には上下両端が前記スライドレール２２まで伸びている仕切板２３がスライドできるように設けられ、
まず速い回転によってＴシャツの水を一定程度に振り出し、それでＴシャツを均一に熱風に吹かせて乾燥する。
【００１３】
有益的には、前記脱水装置１０１は前記乾燥チャンバ１２の上側に設けられた歯車チャンバ２５を含み、前記回転盤１３の上端には前記乾燥チャンバ１２の上壁に回転できるように係合された回転柱２６が固定的に設けられ、前記回転柱２６の上端が前記歯車チャンバ２５の中まで伸びており、かつ前記回転柱２６の上端には第二リングギヤ２７が固定的に設けられ、前記回転盤１３の中には伝動チャンバ２９が設けられ、前記伝動チャンバ２９の中には遊星歯車３０が環状に列ぶように回転できるように設けられ、前記遊星歯車３０の下端には伝動軸３１が固定的に設けられ、前記伝動軸３１の下端が前記ハンガー１４に固定的に連結され、前記伝動チャンバ２９の上側には前記回転柱２６を貫通し、かつ前記歯車チャンバ２５を連通する抜き穴３２が連通し設けられ、前記乾燥チャンバ１２の下側には貯水チャンバ５５が連通し設けられ、前記貯水チャンバ５５の中にはストレーナー５６が固定的に設けられており、
ており、
前記回転盤１３の回転と前記ハンドル１４の自転によって回転する。
【００１４】
有益的には、前記乾燥装置１０２は前記歯車チャンバ２５の上壁に固定的に設けられた通気柱３３を含み、前記通気柱３３の下端が前記抜き穴３２を貫いて前記伝動チャンバ２９の中まで伸びており、前記通気柱３３の下端には前記伝動チャンバ２９の中に位置する前記遊星歯車３０と噛み合うことができる第一リングギヤ３４が固定的に連結され、前記乾し柱５７の上端が前記第一リングギヤ３４に固定的に連結され、かつ前記伝動チャンバ２９の下壁に回転できるように連結され、前記通気パイプ１５の上端が前記通気柱３３を貫いて、かつ前記排気パイプ１７に連通され、前記抽気チャンバ１８の中には動力軸３５が回転できるように設けられ、前記ファン１９が前記動力軸３５に固定的に設けられており、
前記乾燥装置１０２を始動する時に、同時に前記脱水装置１０１も起動される。
【００１５】
有益的には、前記切替装置１０３は前記歯車チャンバ２５の左側に連通し設けられた昇降チャンバ４０含み、前記昇降チャンバ４０の左側にはコントロールチャンバ４１が連通し設けられ、前記コントロールチャンバ４１の上壁にはコントロールモーター４２が固定的に設けられ、前記コントロールモーター４２の下端にはねじボルト４３が動力が伝達できるように連結され、前記コントロールチャンバ４１の中にはねじ山によって前記ねじボルト４３に連結された昇降ロッド４４がスライドできるように設けられ、前記昇降ロッド４４の右端が前記昇降チャンバ４０まで伸びており、前記昇降ロッド４４の右端には動力モーター４５が固定され、前記動力モーター４５の下端には動力平歯車４６が動力が伝達できるように設けられ、前記動力モーター４５の上端には動力傘歯車４７が動力が伝達できるように設けられ、前記動力傘歯車４７の上側には前記動力傘歯車４７と噛み合うことができる伝動傘歯車４８が回転できるように設けられ、前記動力軸３５の左端が前記伝動傘歯車４８に固定的に連結され、前記コントロールチャンバ４１の下側には上側の前記スライドレール２２に連通する引掛りブロックチャンバ４９が設けられ、前記引掛りブロックチャンバ４９の中には引掛りブロック５０がスライドできるように設けられ、前記引掛りブロック５０の右端と前記引掛りブロックチャンバ４９の右壁との間には圧縮バネ５１が固定的に連結され、前記引掛りブロック５０の中には上方に開口した凹溝５２が設けられ、前記昇降ロッド４４の下端には前記凹溝５２まで伸びられる押しブロック５３が固定的に設けられ、前記仕切板２３の右端面の上端が前記引掛りブロックチャンバ４９に対応するところには引掛り溝５４が設けられており、
前記コントロールモーター４２によって起動と機能の切り替えとをコントロールし、前記動力モーター４５に動力を提供する。
【００１６】
初期状態では、昇降ロッド４４が下極限に位置し、動力平歯車４６と第二リングギヤ２７
とが噛み合わなく、動力傘歯車４７と伝動傘歯車４８とが噛み合わない。
【００１７】
Ｔシャツを乾燥する時に、仕切板２３を開け、Ｔシャツをハンガー１４にかけ、手動で回転盤１３を回して次のハンガー１４を左側に回転させ、かけることが完成した後に仕切板２３を閉じ、コントロールモーター４２が起動されてねじボルト４３を回転連動させ、ねじ山連結によって昇降ロッド４４連結を上昇連動させ、動力平歯車４６が第二リングギヤ２７と噛み合うまで昇降ロッド４４が動力平歯車４６を上昇連動させ、その時に押しボロック５３が凹溝から移出され、引掛りブロック５０が圧縮バネ５１の弾力によって左に移動して引掛り溝５４の中に入り、動力モーター４５が起動されて動力平歯車４６を回転連動させ、歯車の噛み合いにより第二リングギヤ２７を回転させ、回転柱２６によって回転盤１３を回転させて遊星歯車３０を公転させ、前記遊星歯車３０が第一リングギヤ３４との噛み合いによって自転し、伝動軸３１によってハンガー１４を公転させることと同時に自転し、Ｔシャツの水を一定程度に振り出し、回転盤１３の回転を止め、コントロールモーター４２がまた起動されて昇降ロッド４４を上極限位置まで上昇連動させて、その時に動力傘歯車４７と伝動傘歯車４８とが噛み合い、動力平歯車４６と第二リングギヤ２７とがまた噛み合い、動力モーター４５が起動され、またハンガー１４によってＴシャツを遅い速度で回転連動させ、それと同時に、動力傘歯車４７が回転し歯車の噛み合いにより伝動傘歯車４８を回転連動させ、動力軸３５によってファン１９を回転させ、電熱線２４を加熱し、吸気パイプ２０によって空気を乾燥チャンバ１２の中から吸入され、電熱線２４によって加熱し、排気口１６によって吹き出され、Ｔシャツを均一に乾す。
【００１８】
本発明の有益的効果は：本発明は構造が簡単で、操作が便利であり、本装置によってＴシャツを乾燥させ、まず速い回転によって水を振り出し、服に一定程度の平ら程度を持たさせ、そして遅い速度で回転することと同時に熱風によって吹き乾し、乾燥が速いことだけではなく、服に皺もつきにくくなる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。